(57)【要約】【課題】放送の受信状況に応じて、受信した複数のプログラムから適切なプログラムを選択して出力し、受信状況が悪化しても放送の中断を回避できるようにする。【解決手段】復調部１３は、品質の異なる複数のプログラムが送信される放送の放送信号を受信すると、ビタビ復号部３２およびＲＳ復号部３７で、受信した放送信号の誤り訂正を行う。このとき、ビタビ復号部３２の出力とＲＳ復号部３７の出力とを比較判定部３８で比較し、受信状況を判定する。制御部１４は、比較判定部３８から受信状況を受信し、その受信状況に基づいて、前記複数のプログラムから、どの品質のプログラムを出力対象とするかを決定し、切換部１５に、当該決定されたプログラムを出力するよう指示する。【選択図】  図４
2004336190.tif 000002
【特許請求の範囲】
【請求項１】
品質の異なる複数のプログラムが送信される放送の放送信号を受信し、前記複数のプログラムのうち所定のプログラムを出力する受信装置において、
前記放送信号の受信状況を判定する受信状況判定手段と、
前記判定された受信状況に基づいて、前記出力するプログラムを自動的に切り換える切換手段とを有することを特徴とする受信装置。
【請求項２】
請求項１に記載の受信装置において、
前記受信状況判定手段は、受信された前記放送信号の誤り訂正前のデータと誤り訂正後のデータを比較することによって前記受信状況を判定することを特徴とする受信装置。
【請求項３】
請求項２に記載の受信装置において、
前記切換手段は、前記判定された受信状況のレベルに対応した品質のプログラムを前記複数のプログラムから選択して、出力対象を当該品質のプログラムに切り換えることを特徴とした受信装置。
【請求項４】
請求項２に記載の受信装置において、
前記切換手段は、前記受信状況が、所定の受信レベルより低い場合は、前記複数のプログラムから第１の品質のプログラムを選択し、出力対象を当該第１の品質のプログラムに切り換え、前記受信状況が、前記所定の受信レベルより高い場合は、前記複数のプログラムから前記第１の品質より高い第２の品質のプログラムを選択し、出力対象を当該第２の品質のプログラムに切り換えることを特徴とする受信装置。
【請求項５】
請求項１に記載の受信装置において、
前記複数のプログラムが、階層化されて放送されることを特徴とする受信装置。
【請求項６】
請求項５に記載の受信装置において、
前記放送が地上波ディジタル放送であり、変調方式としてＯＦＤＭを使用することを特徴とする受信装置。
【請求項７】
品質の異なる複数のプログラムが送信される放送の放送信号を受信し、前記複数のプログラムのうち所定のプログラムを出力する受信方法において、
前記放送信号の受信状況を判定するステップと、
前記判定された受信状況に基づいて、前記出力するプログラムを自動的に切り換えるステップとを有することを特徴とする受信方法。
【請求項８】
請求項７に記載の受信方法において、
前記受信状況判定ステップは、受信された前記放送信号の誤り訂正前のデータと誤り訂正後のデータを比較することによって前記受信状況を判定することを特徴とする受信方法。
【請求項９】
請求項８に記載の受信方法において、
前記切換ステップは、前記判定された受信状況のレベルに対応した品質のプログラムを前記複数のプログラムから選択して、出力対象を当該品質のプログラムに切り換えることを特徴とした受信方法。
【請求項１０】
請求項８に記載の受信方法において、
前記切換ステップは、前記受信状況が、所定の受信レベルより低い場合は、前記複数のプログラムから第１の品質のプログラムを選択し、出力対象を当該第１の品質のプログラムに切り換え、前記受信状況が、前記所定の受信レベルより高い場合は、前記複数のプログラムから前記第１の品質より高い第２の品質のプログラムを選択し、出力対象を当該第２の品質のプログラムに切り換えることを特徴とする受信方法。
【請求項１１】
請求項７に記載の受信方法において、
前記複数のプログラムが、階層化されて放送されることを特徴とする受信方法。
【請求項１２】
請求項１１に記載の受信方法において、
前記放送が地上波ディジタル放送であり、変調方式としてＯＦＤＭを使用することを特徴とする受信方法。
【発明の詳細な説明】
【０００１】
【発明の属する技術分野】
この発明は、複数のプログラムを含む放送を受信する受信装置および受信方法に関し、特に、当該放送の受信状況に応じて前記複数のプログラムから所定のプログラムを出力対象として選択する受信装置および受信方法に関する。
【０００２】
【従来の技術】
地上波のアナログ放送を受信する従来の受信装置では、ステレオや音声多重などのマルチ音声放送を受信する際に、電波の受信状況が良好でない場合は、自動的に受信モードを切り換えて、より受信感度の高い、モノラル音声を受信することによって、テレビジョン放送を受信する際の品質の安定性を、見かけ上確保している。
【０００３】
また、テレビジョン放送については、ＭＰＥＧ（Ｍｏｖｉｎｇ  Ｐｉｃｔｕｒｅ  Ｅｘｐｅｒｔｓ  Ｇｒｏｕｐ）方式による映像圧縮とディジタル変復調技術を利用したディジタル化も進んできており、衛星を用いたＣＳ（Ｃｏｍｍｕｎｉｃａｔｉｏｎ  Ｓａｔｅｌｌｉｔｅ）ディジタル放送、およびＢＳ（Ｂｒｏａｄｃａｓｔｉｎｇ  Ｓａｔｅｌｌｉｔｅ）ディジタル放送が既に始まっている。更に、地上波を利用する地上波ディジタル放送も２００３年から開始される予定である。
【０００４】
上記アナログ放送においては、受信した放送を再生する場合、受信状況の悪化に伴って徐々に出力される映像や音声の品質が劣化していく。しかしながら、ディジタル放送では、ある受信レベルを境に、急激に品質が劣化することが知られており、これが、いわゆる、崖効果と呼ばれるものである。
【０００５】
そこで、このような問題点に対処するため、地上波ディジタル放送に関しては、階層化伝送方式によって多重化された複数の圧縮ビットストリームを受信し、それらの受信レベルに応じてどのビットストリームを再生するかをユーザが指定する信号符号化受信装置が下記の特許文献１に開示されている。
【０００６】
受信レベルが良好でない場合は、提供する放送の品質を徐々に落としていくことで放送の継続性を維持し、それによって突然放送が中断されるという最悪の事態を回避しようという発想である。こうしたアプローチは、「グレースフルデグラデーション（緩やかな劣化）」と呼ばれ、ディジタル放送の受信に関する分野では広く知られている。
【０００７】
【特許文献１】
特開２００１−２２３６６５号公報
【０００８】
【発明が解決しようとする課題】
しかしながら、特許文献１の信号符号化受信装置等では、ユーザがプログラムを切り換えるための指示をしなければならず、ユーザの負担が大きいという問題点がある。
【０００９】
従って、この発明の目的は、放送の受信状況に応じて、自動的に出力対象のプログラムを切り換える受信装置および受信方法を提供することにある。
【００１０】
【課題を解決するための手段】
この発明は、品質の異なる複数のプログラムが送信される放送の放送信号を受信し、複数のプログラムのうち所定のプログラムを出力する受信装置であって、放送信号の受信状況を判定する受信状況判定手段と、判定された受信状況に基づいて、出力するプログラムを自動的に切り換える切換手段とを有するように構成される。
【００１１】
この発明は、品質の異なる複数のプログラムが送信される放送の放送信号を受信し、複数のプログラムのうち所定のプログラムを出力する受信方法であって、放送信号の受信状況を判定するステップと、判定された受信状況に基づいて、出力するプログラムを自動的に切り換えるステップとを有するように構成される。
【００１２】
この発明においては、受信状況判定手段が判定した放送の受信状況に応じて、出力対象のプログラムが、他の品質のプログラムに自動的に切り換えられる。
【００１３】
【発明の実施の形態】
以下、この発明の実施の形態について、図面を用いて説明する。ここでは、この発明の受信装置および受信方法を、地上波ディジタル放送を受信する受信装置および受信方法を例にとって説明する。また、ＨＤＴＶ（Ｈｉｇｈ  Ｄｅｆｉｎｉｔｉｏｎ  Ｔｅｌｅｖｉｓｉｏｎ）以上の解像度や情報量を提供する高臨場感放送の実現を目的の１つとするＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）と呼ばれる放送形態によるサービスが提供されることを前提として説明をする。
【００１４】
更に、日本で検討されている地上波ディジタル放送の伝送方式に従って実施の形態が構成される。具体的には、変調方式としてマルチキャリア（多重搬送波）の変調を行うＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）が採用され、１チャンネル内の各プログラムは、ＱＰＳＫ（Ｑｕａｄｒａｔｕｒｅ  Ｐｈａｓｅ  Ｓｈｉｆｔ  Ｋｅｙｉｎｇ）、ＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等で変調される。
【００１５】
また、ＯＦＤＭは、遅延波のある伝送路に強いという点に最大の特徴があり、移動体向け高品質ディジタル音声放送（ＤＡＢ  ：  Ｄｉｇｉｔａｌ  Ａｕｄｉｏ  Ｂｒｏａｄｃａｓｔｉｎｇ）の有力な伝送方式となっている。
【００１６】
誤り訂正方式は、内符号としてビタビ復号を使用し、外符号としてブロック符号であるリードソロモン符号を使用する。
【００１７】
また、１チャンネルに複数のプログラムを階層化するために、ＢＳＴ（Ｂａｎｄ  Ｓｅｇｍｅｎｔｅｄ  Ｔｒａｎｓｍｉｓｓｉｏｎ）と呼ばれる方式がとられる。ＢＳＴでは、１つのチャンネル帯である６ＭＨｚ帯域（実効域は５．６ＭＨｚ）を１３のセグメントに分け、これらを２つまたは３つのグループに分類し、ロバストなグループ順に階層として伝送する。
【００１８】
ここで、１つの階層を９、あるいは１０セグメント以上で送れば、実質的には、ＨＤＴＶ並の高い品質（ＨＤ品質）の放送を伝送できる。また、３セグメント以上からなる階層が１つあれば、通常は、従来のアナログＮＴＳＣ放送の画質に匹敵するＳＤＴＶ（Ｓｔａｎｄａｒｄ  Ｄｅｆｉｎｉｔｉｏｎ  Ｔｅｌｅｖｉｓｉｏｎ）並の標準品質（ＳＤ品質）の放送を伝送できると考えられる。このＳＤ品質は、相対的には、上記ＨＤ品質より低い品質のものである。
【００１９】
ＨＤＴＶは、日本における規格では、走査線数１１２５本、アスペクト比１６：９の高画質かつワイド画面の方式であり、原信号の伝送ビットレートは、８ビット量子化の場合、１．１８８Ｇｂｉｔ／ｓである。一方、ＳＤＴＶの一方式であるＮＴＳＣの場合は、走査線数５２５本、アスペクト比４：３であり、原信号の伝送ビットレートは、８ビット量子化の場合、２１６Ｍｂｉｔ／ｓである。
【００２０】
更に、より高能率なＭＰＥＧ４などの画像／データ圧縮方式を用いることにより、１ないし２セグメントからなる階層でも、中型サイズ以下の画面でＳＤ品質の放送が配信可能と考えられる。
【００２１】
この発明の実施の形態は、複数階層システムの放送チャンネルに対し、本来的にはＨＤ品質の放送を受信し、出力することを目的とする受信装置であって、電界強度やマルチパス環境に応じてアナログのＦＭ音声受信のように、放送の受信状況に応じて最弱階層のＨＤ品質プログラム、強階層のＳＤ品質プログラムを自動的に選択する。
【００２２】
特に、チャンネルデータの送出側が、各階層ともＨＤ品質またはＳＤ品質という品質の違いはあっても、同じ内容のプログラムを提供するものとすれば、一種の難視聴対策が可能な放送送受信システムを構成しうる。
【００２３】
図１は、１チャンネルの階層化の一例を示す略線図である。図１Ａは、１つのチャンネルの帯域（５．６ＭＨｚ）が、１３のセグメントに分けられ、１つのセグメントＳ７が、１つのプログラムの伝送に使用されている。当該プログラムは、前述の通り、ＱＰＳＫ、ＤＱＰＳＫ等の変調方式で変調され、更にＯＦＤＭで変調される。このように、１プログラムの伝送に１セグメントが使用される場合は、通常、中型サイズ以下の画面にＳＤ品質のプログラムを提供できる。また、ここでの１セグメントの帯域は、１つの移動体通信、携帯電話に使用するのに適している。
【００２４】
図１Ｂは、図１Ａと同様に分割された１３のセグメントにおいて、３つのセグメントＳ６、Ｓ７、およびＳ８が、１つのプログラムの伝送に使用されている。当該プログラムは、図１Ａと同様の変調がされ、通常は、標準サイズの画面にＳＤ品質のプログラムを提供できる。
【００２５】
図１Ｃは、図１Ａと同様に分割された１３のセグメントにおいて、３つのセグメントＳ５、Ｓ６、およびＳ８が、第１のプログラムの伝送に使用され、１つのセグメントＳ７が第２のプログラムの伝送に使用されている。これらの２つのプログラムを異なる変調方式で変調し、全体をＯＦＤＭで変調・多重化することができる。受信装置側では、第１のプログラムを、通常サイズの画面にＳＤ品質で放送でき、また第２のプログラムを、中型サイズ以下の画面にＳＤ品質で放送することができる。
【００２６】
次に、図２および図３を参照して、この発明の実施の形態の受信装置１０の構成、および動作について説明する。図２と図３の両図面によって、受信システム１０の全体が例示される。従って、図２のビット・デインターリーブ２９ａから送信されるデータは、図３のデパンクチャド３０ａで受信され、以下同様に、図２のビット・デインターリーブ２９ｂ、ビット・デインターリーブ２９ｃから、図３のデパンクチャド３０ｂ、デパンクチャド３０ｃにそれぞれデータが送信される。
【００２７】
この発明では、受信状況判定手段は、放送信号の受信状況を判定する機能を有しており、後述するように、本実施の形態においては、比較判定部３９がこれに該当する。また切換手段は、前記判定された受信状況に基づいて、その状況に適したプログラムを選択し、自動的に切り換える機能を有しており、本実施の形態においては、後述の制御部１４および切換部１５がこれに対応する。
【００２８】
受信装置１０は、アンテナ１１、アンテナ１１に接続されるチューナ２０、チューナ２０からＩＦ信号を受信する復調部１３、復調部１３から所定の信号を受け取る制御部（ＣＰＵ）１４、制御部１４から制御信号を受信するとともに復調部１３からＴＳ（トランスポートストリーム）を受信する切換部１５、切換部１５からのＴＳを受信してＡＶ処理するＡＶ信号処理部１６、および表示部１７を含む。
【００２９】
復調部１３は、更に、ＦＦＴ部２１、同期再生部２２、フレーム抽出部２３、キャリア復調部２４、周波数デインターリーブ部２５、時間デインターリーブ部２６、デマッピング部２７、第１の階層分割部２８、ビット・デインターリーブ部２９ａ〜２９ｃ、デパンクチャ部３０ａ〜３０ｃ、階層合成部３１、ビタビ復号部３２、第２の階層分割部３３、バイト・デインターリーブ部３４ａ〜３４ｃ、エネルギー逆拡散部３５ａ〜３５ｃ、ＴＳ再生部３６、ＲＳ復号部３７、および比較判定部３８を含む。
【００３０】
ＡＶ信号処理部１６には、液晶画面やＣＲＴモニタ等の表示部１７が接続されており、ＡＶ信号処理部１６からＨＤ品質のプログラムやＳＤ品質のプログラムが当該表示部１７に表示される。同様にスピーカ等の音声出力装置も、ＡＶ信号処理部１６に接続されるが、ここでは表示を省略する。ＡＶ信号処理部１６からは、様々な音質レベルの音声が当該音声出力装置に出力される。
【００３１】
ＵＨＦ（Ｕｌｔｒａ  Ｈｉｇｈ  Ｆｒｅｑｕｅｎｃｙ）、ＶＨＦ用（Ｖｅｒｙ  Ｈｉｇｈ  Ｆｒｅｑｕｅｎｃｙ）のチューナ２０は、アンテナ１１を介してＩＳＤＢ−ＴのＯＦＤＭ信号をＲＦ（Ｒａｄｉｏ  Ｆｒｅｑｕｅｎｃｙ）信号として受信し、増幅、周波数変換、およびフィルタリング等を行った後、ＩＦ（Ｉｎｔｅｒｍｅｄｉａｔｅ  Ｆｒｅｑｕｅｎｃｙ）信号として復調部１３に出力する。
【００３２】
ＦＦＴ部２１は、上記ＩＦ信号を受信し、ＦＦＴ（Ｆａｓｔ  Ｆｏｕｒｉｅｒ  Ｔｒａｎｓｆｏｒｍ）演算を行う。また、このとき、同期再生部２２およびフレーム抽出部２３によって入力信号に関してフレーム同期が取られる。
【００３３】
次に、キャリア復調部２４が、ＦＦＴ部２１から出力された信号に対して所定の方式でディジタル復調を行う。
【００３４】
その後、周波数デインターリーブ部２５および時間デインターリーブ部２６が、これらの信号に対し、デインターリーブ処理を行う。インターリーブは、伝送誤りがバースト的に発生する場合に、その誤り系列をランダムにする技術である。ＯＦＤＭでは、周波数軸の方向にインターリーブを行う周波数インターリーブと、時間軸の方向にインターリーブを行う時間インターリーブが可能であり、送信側でこれらのインターリーブ処理を行い、受信側でこれを解除する処理、すなわち、デインターリーブ処理を行う。復調部１３においては、周波数デインターリーブ部２５と、時間デインターリーブ部２６がこれに対応する。これによって、伝送路のバースト的な誤りを分散させることができる。
【００３５】
その後、符号化データは、時間デインターリーブ部２６からデマッピング部２７に送られる。ここでは、送信側で行ったマッピング処理が解除される。マッピング処理は、インターリーブと同様、ノイズやフェージング等の伝送路におけるエラー発生原因を分散させる。各シンボルへのマッピング処理は、ＱＰＳＫ、１６ＱＡＭ等の変調方式に応じて行われる。
【００３６】
次に、データは、第１の階層分割部２８に送られ、そこで各階層に分割される。図１Ｃで例示したような、１セグメントを使用したプログラムと３セグメントを使用したプログラムが送信される場合、これらの各階層に対応したデータが、個別に取り出される。
【００３７】
分割された各データは、それぞれ対応するビット・デインターリーブ部２９ａ〜２９ｃに送信され、そこでビット・デインターリーブ処理が行われる。送信側では、上記シンボルへのマッピング処理時に、バースト的なエラーを回避するために、ビット単位でビット・インターリーブを設定できる。このインターリーブがされている場合に、それを解除するために上記ビット・デインターリーブ処理を行う。
【００３８】
次に、分割された各データには、デパンクチャ部３０ａ〜３０ｃにおいて、それぞれデパンクチャ処理がされる。送信側では、元となる畳み込み符号化データのうちいくつかのシンボルを消去することによって、より高い符号化率の符号化データ（パンクチャド符号）を作り出すことができる。従って、送信側で当該処理を施している場合には、上記デパンクチャ処理を行う。
【００３９】
階層合成部３１は、デパンクチャ部３０ａ〜３０ｃからデータを受信し、階層合成を行う。階層合成されたデータは、ビタビ復号部３２に送られる。ビタビ復号部３２は、そこで、送信側で行われた畳み込み符号化を用いた誤り訂正によって内符号復号を行う。このような内符号化には、ビタビ復号と畳み込み符号が組み合わされて用いられるのが一般的である。ビタビ復号によって誤り訂正が行われたデータは、第２の階層分割部３３に送信され、そこで再度階層分割される。
【００４０】
次に、各階層に分割されたデータは、バイト・デインターリーブ部３４ａ〜３４ｃでそれぞれデインターリーブされる。バイト・インターリーブは、ビット・インターリーブと同様に、誤り耐性を強化するために行われる処理で、内符号と外符号の間で、バイト単位に設定できる。各バイト・デインターリーブ部３４ａ〜３４ｃは、入力されたデータがリードソロモン符号で誤り訂正符号化されている場合に、デインターリーブを行う。
【００４１】
それぞれのバイト・デインターリーブ部３４ａ〜３４ｃより出力されたデータは、送信側でエネルギー拡散処理を行っている場合は、エネルギー逆拡散部３５ａ〜３５ｃにおいて、当該処理と逆の処理を施す。エネルギー拡散処理は、送信時に、特定の周波数にエネルギーが集中するのを回避するために行う処理である。
【００４２】
データは、エネルギー逆拡散部３５ａ〜３５ｃよりＴＳ再生部３６に送信される。ここで、ＴＳ再生部３６は、階層毎に受信したデータを蓄積し、ＴＳ（トランスポートストリーム）単位に並べ替え、それらのＴＳを、送信側で多重化された順序でＲＳ復号部３７に送出する。
【００４３】
ＲＳ復号部３７は、ＴＳ再生部３６から送出されたＴＳを受信し、ＲＳ復号を行う。例えば、２０４バイト（シンボル）からなるＲＳブロック単位で、ＲＳ（２０４、１８８）のＲＳ復号を行って、ＲＳブロック内に存在するエラーバイトを訂正し、トランスポートストリームパケット（ＴＳＰ）を出力する。より具体的には、１８８バイトのＴＳＰに対して１６バイトのパリティを付加したリードソロモン符号化処理が行われる。上記ＲＳ（２０４、１８８）の誤り訂正能力は８バイトであり、１ＲＳブロック（２０４バイト）内に９バイト以上のエラーが存在していた場合には、そのブロックは訂正することができない。
【００４４】
ＲＳ復号部３７は、訂正を行った場合、訂正したバイトについては、エラーフラグを出力し、ブロックの訂正ができない場合には、訂正不能フラグを出力することができる。
【００４５】
ＲＳ復号が終了すると、ＲＳ復号部３７からＴＳが切換部１５に出力される。図１Ｃに示したような、１チャンネルに複数のプログラムが階層化されているような場合には、各プログラムのＴＳが複数混合された形で切換部１５に提供される。
【００４６】
一方、ＲＳ復号部３７の出力とビタビ復号部３２の出力は、ともに比較判定部３８に送信され、そこで、両方のデータが比較される。当該比較処理によって、ＲＳ復号の前後のデータが比較され、全体のバイト（シンボル）のうちどれだけのバイトが訂正されているかが判定される。このことは、換言すれば、全体のバイトのうちどれだけのバイトが誤って受信されたかが判定されることであり、実質的にはＢＥＲ（Ｂｉｔ  Ｅｒｒｏｒ  Ｒａｔｅ）またはＭＥＲ（Ｍｏｄｕｌａｔｉｏｎ  Ｅｒｒｏｒ  Ｒａｔｉｏ）等の情報が得られることになる。また、比較判定部３８は、図３においては１つの比較器の記号で示されているが、これは理解を容易にするための表記にすぎず、実際は、比較処理の他、ＲＳ復号部３７の出力等を用いて、ＢＥＲ等の値を求めるための演算も行う。
【００４７】
従って、上記ＢＥＲやＭＥＲ等の情報は、チューナ２０を介して受信した信号の受信状況を表すものと考えることができる。この情報はまた、受信Ｃ／Ｎ（Ｃａｒｒｉｅｒ  ｔｏ  Ｎｏｉｓｅ  Ｒａｔｉｏ）と同様の意味を有する。また、前述のように、ＲＳ復号部３７は、エラーフラグおよび訂正不能フラグを出力することができるので、これらを用いてある程度、受信状況の良否を把握することも可能である。
【００４８】
また、本実施の形態では、ＢＥＲ等を測定するために、ビタビ復号後のデータが比較対象として用いられており（いわゆる、Ｐｏｓｔ−Ｖｉｔｅｒｂｉ）、この方法は、地上波を受信する場合のような、比較的エラーの多い受信において一般的に採用されている。しかしながら、この発明の受信装置は、比較対象のデータを、このポイントで取得するように限定するものではない。
【００４９】
比較対象のデータを取得するポイントは、受信方法や受信経路に応じて変動しうる。例えば、ケーブル放送や衛星放送等の、比較的高品質の受信が可能な場合には、ビタビ復号前のデータが比較対象として用いられるのが一般的である（いわゆる、Ｐｒｅ−Ｖｉｔｅｒｂｉ）。
【００５０】
また更に、本実施の形態では、放送信号についての誤り訂正を、ビタビ復号と組み合わされた畳み込み符号（内符号）、およびリードソロモン符号（外符号）を使用して行っているが、この発明の受信装置の誤り訂正が、このような組み合わせのみによって行われると解すべきではなく、他の既知の１つあるいは複数の誤り訂正方式を利用することが可能である。
【００５１】
受信状況を表す、例えばＢＥＲのような情報（受信状況データ）は、復調部１３の比較判定部３８から制御部１４に送信される。比較判定部３８による比較処理、および制御部１４への送信処理は、例えば、ＲＳ復号部３７で１つのＴＳが処理されるタイミング毎に、またはその他の所定のタイミングで行うことができる。
【００５２】
制御部１４は、上記受信状況データを受け取ると、それを所定のしきい値と比較し、ＢＥＲの値の方が大きければ（すなわち、受信Ｃ／Ｎが低下している場合）、受信状況が不良であると判断して、自動的に、データ量の少ない、よりロバストなＳＤ品質（第１の品質）のプログラムに対応するＴＳを選択するよう切換部１５に制御信号を送付する。
【００５３】
一方、前記しきい値よりＢＥＲの値の方が小さければ（すなわち、受信Ｃ／Ｎが大きい場合）、受信状況が良好であると判断し、自動的に、データ量の多いＨＤ品質（第２の品質）のプログラムに対応するＴＳを選択するよう切換部１５に制御信号を送信する。
【００５４】
切換部１５は、ＲＳ復号部３７から複数のプログラムに対応するＴＳを受信し、制御部１４から受信する制御信号に応じて所定の階層のプログラムのＴＳのみを選択し、ＡＶ信号処理部１６に送出する。
【００５５】
もちろん、このようなＨＤ品質のプログラムとＳＤ品質のプログラムを切り換えるには、両方の品質に対応するプログラムが階層化された放送信号を、実際に受信していなければならない。
【００５６】
また、制御部１４は、上記のように２つの品質のプログラムを交互に切り換えるだけでなく、受信状況のレベルに応じて、３つ以上の異なる品質のプログラムの中から出力対象のプログラムを選択して、段階的な切換を行うようにすることもできる。例えば、受信状況のレベルが良好である場合には、このレベルに対応する高品質のプログラムを出力対象とし、受信状況のレベルが中程度である場合には、当該レベルに対応する普通品質のプログラムを出力対象とし、受信状況のレベルが不良である場合には、当該レベルに対応する低品質のプログラムを出力対象とするように制御することができる。
【００５７】
こうした切換制御によって、ＡＶ信号処理部１６には、受信状況が不良である場合はデータ量の多いＨＤ品質のプログラムのＴＳが提供され、受信状況が良好である場合はデータ量の少ないＳＤ品質のプログラムのＴＳが提供される。
【００５８】
本実施の形態においては、受信状況の差によって、ＨＤ品質のプログラムとＳＤ品質のプログラムを切り換える、すなわち画質の異なるプログラムを自動的に切り換える例について説明してきたが、このような画質の差に加えて、プログラムに含まれる音声の質やプログラムに関するその他の情報の程度に差を設けるように設定することもできる。
【００５９】
ＡＶ信号処理部１６は、ＴＳを受信すると、その中のデータの種別を判定して、対応するデコーダに送信する。例えば、ＴＳにＭＰＥＧ−２（Ｍｏｖｉｎｇ  Ｐｉｃｔｕｒｅ  Ｅｘｐｅｒｔｓ  Ｇｒｏｕｐ−２）データのような画像データが含まれている場合は、それをＭＰＥＧデコーダに送信し、ＡＣ−３のような音声データが含まれている場合には、ＡＣ−３（Ａｕｄｉｏ  Ｃｏｄｉｎｇ−３）デコーダに送信する。各デコーダは、入力データを対応する出力デバイスに出力する。例えば、ＭＰＥＧデコーダは、ＭＰＥＧ−２データを受信して、それを表示部１７に出力し、ＡＣ−３デコーダは、ＡＣ−３データをデコードし、それをスピーカ等の音声出力装置に出力する。
【００６０】
次に、図４を参照して、制御部１４における切換制御処理の動作について説明する。当該処理ソフトウエアは、受信装置１０が稼働している場合には常駐的に動作しているものとし、一定の時間間隔で比較判定部３８から受信状況に関する情報（受信状況データ）が送信されてきているかを監視する。また、制御部１４においては、他の処理や他の常駐ソフトウエアも平行して動作しているが、ここでは、本処理の動作のみについて説明するものとする。
【００６１】
切換制御処理は、ユーザが受信装置１０における一連の選局動作を終了した場合に開始される。
【００６２】
ステップＳ１１において、復調部１３の比較判定部３８から受信状況データが送信されてきているかを一定間隔で確認し、送信されていれば、それを取得する。ここで、受信状況データは、例えば、ＢＥＲのような放送の受信状況を表すデータである。また、この時点では、受信装置１０が、ユーザの選局に応じて特定のチャンネルのＨＤＴＶのプログラムを表示部１７等に出力していると仮定する。
【００６３】
ステップＳ１２において、取得した受信状況データの値が、所定の値「ＱＥＦ（Ｑｕａｓｉ  Ｅｒｒｏｒ  Ｆｒｅｅ：疑似エラーフリー）」より良い状態を示す場合は、受信状況が良好で現在の階層のプログラムを画出しして差し支えないと判断し、切換部１５に特段制御をせず、そのまま動作を続行させる。よって、結果的にＨＤ品質のプログラムは、引き続き表示部１７に表示される。このとき、制御部１４は、現状の階層のＴＳを取り込み続けるように切換部１５に確認をするようにしてもよい（ステップＳ１５）。
【００６４】
ここで、ＱＥＦは、例えばＭＰＥＧデコーダにＴＳが提供される時点で、訂正できないエラーが、１時間あたり１つ未満であるという受信状況のレベルを表し、その受信状況レベルは、ＢＥＲの所定の値が表すレベルと対応する。
【００６５】
切換部１５が、過去の制御部１４からの制御信号によってＳＤ品質の階層のＴＳを選択している場合、制御部１４は、出力対象のＴＳをＨＤ品質の階層のＴＳを選択するよう切換部１５を制御する必要がある。
【００６６】
ステップＳ１２において、取得した受信状況データの値が、ＱＥＦ近辺で設けたしきい値より悪い状態を示す場合は、受信状況が劣化し、出力画像や音声にノイズが発生する可能性がある。
【００６７】
そこで、この場合、制御部１４は、ステップＳ１３において、よりロバストなＳＤ品質の階層のＴＳを選択するように切換部１５を制御し、ステップＳ１４において、ＳＤ品質のプログラムに表示を切り換える。
【００６８】
切換部１５が、過去の制御部１４からの制御信号によってＳＤ品質の階層のＴＳを選択している場合、制御部１４は、出力対象のＴＳを切り換えずにそのまま維持するように切換部１５を制御する必要がある。
【００６９】
また、ＨＤ用の大画面モニタにＳＤ画質のプログラムをそのまま出力すると、ノイズによる受信エラー以外の画像符号化に伴うブロックノイズはモスキートノイズが目立つ傾向もある。その場合は、画面上でアンダースキャン気味に、すなわち映像信号の隅から隅まで１００％表示し、ノイズを目立ちにくくするよう制御してもよい。
【００７０】
これまで、この発明の受信装置および受信方法を、ＩＳＤＢ−Ｔ方式に基づく地上波ディジタル放送の受信装置を例にとって説明してきたが、この発明は、この実施の形態に限られるものではなく、他の様々な受信装置に適用できる。例えば、他の規格によって複数のプログラムが送信される放送について、その放送の受信状況が何らかの方法で検出できれば、この発明の受信装置および受信方法を適用することが可能である。
【００７１】
【発明の効果】
この発明によれば、放送の受信状況に応じて、出力対象のプログラムが、ユーザの指示等を受けることなく、他の品質のプログラムに自動的に切り換えられる。
【００７２】
また、この発明によって、放送の受信状況が良好でない場合は、少ない伝送データの低品質プログラムを出力するように切り換え、他方、放送の受信状況が良好な場合は、多くの伝送データを必要とする高品質プログラムを出力するよう切り換え、受信状況が悪化しても放送の中断を回避することができる。
【図面の簡単な説明】
【図１】ＢＳＴにおける１チャンネルの階層化の一例を示す略線図である。
【図２】この発明の実施の形態に係る受信装置の一例を示すブロック図である。
【図３】この発明の実施の形態に係る受信装置の一例を示すブロック図である。
【図４】この発明の実施の形態に係る、ＴＳの切換を制御する処理の一例のフローチャートである。
【符号の説明】
１０・・・受信装置、１１・・・アンテナ、１３・・・復調部、１４・・・制御部（ＣＰＵ）、１５・・・切換部、１６・・・ＡＶ信号処理部、１７・・・表示部、２０・・・チューナ
【図１】
2004336190.tif 000003
【図２】
2004336190.tif 000004
【図３】
2004336190.tif 000005
【図４】
2004336190.tif 000006